(57)【特許請求の範囲】
【請求項１】
ベルトバックルであって、
一端側及び他端側に、夫々、ベルトバックルに固定される先端部と、後端部とを有するベルトであって断面視ラチェット部が形成されたベルトを位置固定できるベルトバックルにおいて、
中央にはベルトの後端部を通す長方形の切欠部が形成され、切欠部を基準に、該切欠部の前方には前方底面板を有し、該切欠部の後方には後方底面板を有し、前方底面板には前記ラチェット部を位置固定するフックが形成され、両側辺部には側壁が折り曲げ形成され、切欠部の両側には支持辺部を有する、下部チャンネルと、
前記切欠部に対向する位置に前面板を有し、該前面板の底面には下部チャンネルの前記側壁の内側に密着して挿入される側壁を有し、該側壁の下端部には前記支持辺部により閉鎖される固定凹溝が形成された、上部チャンネルと、
前記固定凹溝に挿入されて揺動できるように両側辺にヒンジピンを有すると共にベルトの前記先端部を固定できるように一側辺に歯部を有する固定具と、を備えたことを特徴とするベルトバックル。
【請求項２】
前記前面板は、前記下部チャンネルの前記側壁の厚さと同一の翼部が前記上部チャンネルの前記側壁の外側部に突出形成されたことを特徴とする請求項１記載のベルトバックル。
【発明の詳細な説明】
【０００１】
（技術分野）
本発明は、ベルトバックルに係るもので、詳しくは、ベルトの後方端部がベルトの先端部と衣服間に巻回されるように構成された内方向（内側）巻回式ベルトバックルにおいて、ベルトが通過する通路を形成する上、下部チャンネルの結合構造を改善したベルトバックルに関するものである。
【０００２】
（背景技術）
ベルトバックルは、衣服、特に、ズボンを着用者の体に安定的に密着させて活動に不便を与えない主な機能及び、着用者の美的嗜好を充足するための付随的な機能を有する。
【０００３】
このような機能を有するベルトバックルは多様な形態のものが知られて使用されている。
【０００４】
従来のベルトバックルは、ベルトの後方端部がベルトバックルに固定されたベルト先端部の外側に巻回されるようになっているため、後方端部、即ち、ベルトの端部が衣服と離隔された状態で放置されるようになって外観上好ましくないだけでなく、歩行中上着の袖口や外部物体に引っ掛るという不都合な点があった。
【０００５】
このような問題点を解決するために、本出願人が先出願した大韓民国特許公開第１９９６−０００１１１号公報（公開日：１９９６年１月２５日）には、ベルトの後方端部がベルトの先端部と衣服間に巻回される内方向（内側）巻回式ベルトバックルが提案されている。
【０００６】
前記内方向巻回式ベルトバックルは、内部にベルトの後方端部が通過する通路が形成される六面体状の上、下部チャンネルにより構成されている。板体（プレートボデー）の両側辺部における縁部を曲げて所定高さを有する両側壁を形成し、各側壁の下端部位を溶接により板体状の下部チャンネルに取り付けて、間にベルト通路を形成し、前記下部チャンネルの底面の一方側にはベルトの後方端部が通過するように切欠部が形成されている。
【０００７】
従って、ベルトを着用する際、ベルトの後方端部が板体状のバックルの内部通路内に挿入され切欠部を通過した後、ベルトの先端部と衣服間に位置するようになるので、外部に露出されない。
【０００８】
また、下部チャンネルの内側面には鋸の歯状の掛止溝（フック溝）が所定間隔を有して形成され、バックルの下部チャンネルの入口にはベルトの掛止溝に掛止されるようなフックが上方向に突出して形成されている。従って、ベルトの後方端部をベルトバックルの内側通路内に挿入すると、バックルのフックがベルトの掛止溝に容易に挿入固定されるようになっている。
【０００９】
即ち、図１及び図２に示したように、ベルトバックルの上部チャンネル２０の両側壁２１に形成された各ヒンジ孔２２に、ヒンジピン３１を挿入して、前記固定具３０が揺動可能に結合（接続）される。前記固定具３０に具備された鋸の歯状の歯部３２がベルトの先端部を噛み、ベルトバックルの上部チャンネル２０の底面に密着する。
【００１０】
然し、このような方式のベルトバックルにおいては、前記固定具３０のヒンジピン３１がベルトバックルの各ヒンジ孔２１を通して外部に露出されるため、着用者の皮膚が外部に露出された前記固定具３０のヒンジピン３１に接触して傷ついたり、衣服が引っ掛って裂けるなどの不都合な点があった。
【００１１】
一方、図３は、従来のベルトバックルの他の形態を示したもので、上、下部チャンネル５０、４０にそれぞれ側壁５１、４１を形成し、それら側壁５１、４１をリベッティングにより結合させることでベルトバックルを形成したものである。
【００１２】
このような形態のベルトバックルにおいては、その製造工法上、前記下部チャンネル４０の側壁４１の内側に前記上部チャンネル５０の側壁５１を挿入して前記上、下部チャンネル５０、４０を結合させている。従って、ベルト正面から見たとき、常に前記下部チャンネル４０の側壁４１の上方側辺部がベルトバックルの前面に露出されて、外観上好ましくなかった。
【００１３】
（発明の開示）
（発明が解決しようとする技術的課題）
従って、本発明の目的は、ベルトの先端部をベルトバックルに固定する固定具のヒンジピンが外部に露出されないようにして、着用時の安全性を向上させ得るベルトバックルを提供することである。
【００１４】
そして、本発明の他の目的は、上部チャンネルと下部チャンネルとの結合部位がベルトバックルの前面に露出されず、従って、美麗な外観を有するベルトバックルを提供することである。
【００１５】
（その解決方法）
これらの目的を達成するため、底面板の中央部に形成された切欠部と長さ方向両側に設けられた所定高さの側壁とを有する下部チャンネルと、前記下部チャンネルの側壁の内側に挿入して接続される側壁を有する上部チャンネルと、一端部に形成された歯部及び前記上部チャンネルと前記下部チャンネルの側壁に対して挿入されるように該歯部の両端部に形成されたヒンジピンとを有する固定具、とを備えたベルトバックルが提供される。
【００１６】
本発明のバックルに関して、前記上部チャンネルの前面板の外側縁部、即ち、両側壁の外側部分には、前記上、下部チャンネルの接続時に前記下部チャンネルの各側壁の前端部が外部に露出されないように覆う翼部が突出形成される。
【００１７】
また、前記上部チャンネルの側壁の後方側両下端部には、ベルトの先端部を固定するための固定具のヒンジピンが挿入されて固定される溝が形成される。
【００１８】
また、上記目的を達成するために、ベルトバックルの上部チャンネルの上面に、下部チャンネルの両方壁を包含する全体面積に該当する面積を有する上部覆蓋板を結合して、下部本体の側壁を前面に露出させないようにしたベルトバックルが提供される。
【００１９】
本発明のバックルに関して、前記上部覆蓋板は、その底面所定部位に複数個の固定突起が形成され、前記上部チャンネルの前面板に形成された固定孔に前記各固定突起が挿入される。固定突起の端部を押圧することで、取り付けることができる。
【００２０】
（発明を実施するための最良の形態）
図４は、本発明に係るベルトバックルの１実施例の構造を示した分解斜視図で、図中、参照符号１００及び２００は、ベルトバックルの下部チャンネル及び上部チャンネルをそれぞれ示したものである。
【００２１】
前記下部チャンネル１００は、長方形をなし、中央部に長方形の切欠部１２０が具備された底面板１１０と、該底面板１１０の長さ方向外側辺部にほぼ直角を成して折り曲げ形成された側壁１３０と、を包含する。且つ、前記底面板１１０の上面一側部には、入口側から内側に上向きに傾斜を有するフック１４０が突出形成される。また、前記側壁部１３０の前、後両側には固定孔１５０がそれぞれ形成される。なお、底面板１１０は、図４に示すように、切欠部１２０を基準に、該切欠部１２０の前方に前方底面板を有し、該切欠部１２０の後方に後方底面板を有し、該切欠部１２０の両側に支持辺部を有する。
【００２２】
前記下部チャンネル１００と結合される上部チャンネル２００は、ベルトバックルの前面を形成する前面板２１０と、該前面板２１０の底面長さ方向にほぼ直角に形成される側壁２２０と、を包含する。前記各側壁２２０は、前記下部チャンネル１００の各側壁１３０の内側に密着して挿入されるように所定間隔を有して配置される。それら側壁２２０の前、後両側には、前記下部チャンネル１００の側壁１３０に形成された固定孔１５０に対応する固定孔２３０が形成される。更に、前記側壁２２０の一方側には半円形の固定凹溝２４０が形成されて、前記上、下部チャンネル１００、２００が互いに結合される時、固定具３００のヒンジピン３１０が挿合されるようになっている。また、前記各側壁２２０の外側部に、前記下部チャンネル１００の側壁１３０の厚さに該当する長さを有する翼部２５０がそれぞれ突出形成されて、前記上、下部チャンネル１００、２００の結合時に、前記下部チャンネル１００の側壁１３０の上端縁部が隠れるようになっている。
【００２３】
前記固定具３００は、ヒンジピン３１０が位置する端部がほぼ直角に折り曲げられ、該折り曲げ部の端部には鋸の歯形状の歯部３２０が形成されている。これにより、ベルトBの固定時に、該ベルトBの先端部が前記上部チャンネル２００の前面板２１０の底面に堅固に密着固定される。また、他方の端部は、前記上部チャンネル２００の前面板２１０に向かって所定傾斜角を有して折り曲げられている。これにより、ベルトＢの後端部がベルト通路Pに進入した後、該後端部が、前記底面板１１０に形成された切欠部１２０内に円滑に誘導される。前記固定具のヒンジピン３１０は、前記上部チャンネル２００の各側壁部２２０に形成された固定凹溝２４０と前記下部チャンネル１００の底面板１１０の上面間に形成される空間部に揺動可能に結合されて、端部が外部に露出されないようになっている。また、固定具３００は、図４に示したように、ヒンジピン３１０を中心に揺動し、それは、前記下部チャンネル１００の底面板１１０に形成された前記切欠部１２０を通して外部に露出されるようになっている。なお、ベルトＢは、図５に示すように、底面板１１０の前記フック１４０に位置固定される断面視ラチェット部を有する。
【００２４】
このように構成される本発明に係るベルトバックルを組立てるときは、各側壁１３０の内側に各側壁２２０を一致させた状態で挿入する。このとき、前記上部チャンネル２００の側壁部２２０に形成された固定凹溝２４０に固定具３００のヒンジピン３１０を位置決めした状態で前記上、下部チャンネル２００、１００を結合させると、前記固定凹溝２４０と前記下部チャンネル１００の底面板１１０との間に形成された空間内に前記ヒンジピン３１０が閉ざされて、前記固定具が不用意に離脱しないように結合されると共に、前記ヒンジピン３１０の端部は前記下部チャンネル１００の側壁１３０に隠されて外部に露出しない。
【００２５】
このような状態で、前記上、下部チャンネル２００、１００の各側壁２２０、１３０に形成された固定孔２３０、１５０を介してリベットを利用して固定させると、前記上、下部チャンネルの結合が終了する。このように結合させると、前記上部チャンネル２００の前面板２１０に形成された翼部２５０が前記側壁１３０を完全に覆うようになるので、該側壁１３０の上方端部が前面に露出されず、よって、前記前面板２１０に所定模様や図案などを描いてベルトバックルの外観を多様に表現することができる。
【００２６】
このように前記上、下部チャンネル２００、１００が結合された状態で、図４に示したように、前記下部チャンネル１００の底面板１１０に形成された前記切欠部１２０を通して前記固定具３００を下方側に揺動させた後、ベルトBの先端部を前記固定具３００の歯部３２０と前記上部チャンネル２００の前面板２１０の底面間に位置決めする。この状態で、前記固定具３００を前記前面板２１０側に押すと、前記固定具３００の固定端部に形成された歯部３２０によりベルトBの先端部が前記上部チャンネル２００の前面板２１０の底面に堅固に固定される。
【００２７】
そして、このような状態で、ベルトBの後方端部を前記上、下部チャンネル２００、１００間に形成された通路Pを通して挿入すると、ベルトBの後方端部が前記固定具３００の傾斜端部３３０により案内され、前記下部チャンネル１００の底面板１１０に形成された切欠部１２０を通してベルトBの先端部と衣服間に巻回されるようになって外部に露出されない。
【００２８】
一方、図７は、本発明の他の実施例に係るベルトバックルの結合状態を示したもので、本他の実施例においては図６に示す第１実施例の如く、上部チャンネル２００に翼部２５０を形成する代わりに、下部チャンネル１００の全体面積に該当する別体の覆蓋板４００を前記上部チャンネル２００に結合させたものである。
【００２９】
即ち、前記上部チャンネル２００の前面板２１０の所定部位に複数個の固定孔２６０を形成し、前記下部チャンネル１００の全体面積に該当する面積を有する前記覆蓋板４００の底面には前記固定孔２６０に相応する部位に複数個の固定突起４１０を形成して、それら固定突起４１０を前記各固定孔２６０に挿入して圧着し、前記覆蓋板４００を前記上部チャンネル２００の前面板２１０に取り付ける。
【００３０】
本実施例においては、前記覆蓋板４００の前面に所定模様や図案を設ける（形成する）ことで多様な形態の表現が可能である。また、前記覆蓋板４００を別体で製作することができるので、表面に種々のデザインを彫ることが可能になり、形態の単調さを回避して高品質のベルトバックルを提供することができる。
【００３１】
（産業上の利用の可能性）
以上説明したように、本発明に係る上、下部チャンネルが結合されてなる内方向（内側）巻回式ベルトバックルによれば、下部チャンネルの側壁の上方側の縁部（端部）が前面に露出されないので、ベルトバックルの前面板に多様な形態の模様や図案などを表現することが可能になって、一層洗練されて品位のあるベルトバックルを提供し得る。
【００３２】
更に、ベルト固定用固定具のヒンジピンが外部に露出されないので、使用時の安全性が向上する。
【図面の簡単な説明】
【図１】従来技術の１実施例に係るベルトバックルの斜視図である。
【図２】図１の固定具の結合構造を示した断面図である。
【図３】従来技術の他の実施例に係るベルトバックルの断面図である。
【図４】本発明に係るベルトバックルの１実施例の構造を示した分解斜視図である。
【図５】本発明の１実施例に係るベルトバックルが組立てられた状態での操作を示した断面図である。
【図６】本発明の１実施例に係るベルトバックルの固定具の結合構造を示した断面図である。
【図７】本発明に係るベルトバックルの他の実施例の結合状態を示す断面図である。
【図１】
0003787494.tif 000002
【図２】
0003787494.tif 000003
【図３】
0003787494.tif 000004
【図４】
0003787494.tif 000005
【図５】
0003787494.tif 000006
【図６】
0003787494.tif 000007
【図７】
0003787494.tif 000008